(57)【要約】
【課題】　本考案の目的は、オーディオ部を活かし、かつ手間をかけず低コストで既製の収納式モニターユニットを小物入れの部位に設置するための取付け治具を提供することにある。
【解決手段】　本考案に係る収納式モニターユニットの取付け治具は、自動車のインストルメントパネルの両吹出し口、両ダクト間に設置されている小物入れ部位を取り外し、該小物入れ部位の空間に収納する硬質樹脂製筐体であって、該筐体に収納式モニターユニットを収納可能となるように、該筐体は正面及び背面が開口し、底面、ネジ留め穴を有する両側壁及び天面を有し、該天面の長手方向に沿って同質材にて厚手の帯板部材を形成し、該帯板部材内に剛性の金属板を埋設するとともに該金属板は厚手の帯板部材の左右から外部に延出する長さに形成し、該金属板の延出部に取付け孔を設けたことを特徴とする。
【選択図】　図１
0003099991.tif 000002
【実用新案登録請求の範囲】
【請求項１】
　自動車のインストルメントパネルの両吹出し口、両ダクト間に設置されている小物入れ部位を取り外し、該小物入れ部位の空間に収納する硬質樹脂製筐体であって、該筐体に収納式モニターユニットを収納可能となるように、該筐体は正面及び背面が開口し、底面、ネジ留め穴を有する両側壁及び天面を有し、該天面の長手方向に沿って同質材にて厚手の帯板部材を形成し、該帯板部材内に剛性の金属板を埋設するとともに該金属板は厚手の帯板部材の左右から外部に延出する長さに形成し、該金属板の延出部に取付け孔を設けたことを特徴とする収納式モニターユニットの取付け治具。
【請求項２】
　前記筐体の両側壁内面の前端部よりに段差部を設けて収納式モニターユニットが筐体の正面開口部から抜け出ないように形成したことを特徴とする請求項１記載の収納式モニターユニットの取付け治具。
【考案の詳細な説明】
【技術分野】
【０００１】
　本考案は車のインストルメントパネルの取付け治具、特に収納式モニターユニットを収納する取付け治具に関する。本考案では、収納式モニターユニットとは、不使用時には本体と供に折り畳まれた状態で筐体内にモニターが収納され、使用時にモニターが筐体内からスライド前進して起立するタイプのものをいう。
【背景技術】
【０００２】
　従来、車のカーナビゲーションシステム等のモニターはダッシュボードの上に設置されるオンダッシュモニターが多かった。この場合、運転手の視界を狭める上、盗難に遭いやすい等の欠点を有していた。そこで近年、車のインストルメントパネルにカーナビゲーションの液晶部を嵌め込む形状のカーナビゲーションシステムが開発されている（特許文献１）。また、使用時に液晶がスライドして立ち上がる形状のナビゲーションシステムが開発されている（非特許文献１）。このタイプの収納式モニターユニットを車内のインストルメントパネルに設置する場合、通常オーディオ部と交換するのが一般的である。
【０００３】
【特許文献１】特開２０００−１９０７５５（発明の詳細な説明の欄、図１）
【非特許文献１】富士重工株式会社製　ＬＥＧＡＣＹ　Ｂ４　ＡＣＣＥＳＳＯＲＩＥＳ　カタログＰ５
【０００４】
　しかし、従来のオンダッシュモニターは前述のとおり運転手の視界を狭める上、盗難に遭い易いという欠点を有する。一方、インストルメントパネルに液晶を嵌め込む形式の物は、設置の際、手間がかかり、高コストである。また、モニターを収納するタイプのナビゲーションシステムは交換の際、オーディオ部と交換することになるため、車内でオーディオシステムを使用できなくなる等の問題があった。
【考案の開示】
【考案が解決しようとする課題】
【０００５】
　本考案は上記の点に鑑みてなされたもので、その目的とするところは、オーディオ部を活かし、かつ手間をかけず低コストで既製の収納式モニターユニットを小物入れの部位に設置するための取付け治具を提供することにある。
【課題を解決するための手段】
【０００６】
　本発明に係る収納式モニターユニットの取付け治具は、自動車のインストルメントパネルの両吹出し口、両ダクト間に設置されている小物入れ部位を取り外し、該小物入れ部位の空間に収納する硬質樹脂製筐体であって、該筐体に収納式モニターユニットを収納可能となるように、該筐体は正面及び背面が開口し、底面、ネジ留め穴を有する両側壁及び天面を有し、該天面の長手方向に沿って同質材にて厚手の帯板部材を形成し、該帯板部材内に剛性の金属板を埋設するとともに該金属板は厚手の帯板部材の左右から外部に延出する長さに形成し、該金属板の延出部に取付け孔を設けたことを特徴としたものである。
【０００７】
　また、本発明に係る収納式モニターユニットの取付け治具は、前記筐体の両側壁内面の前端部よりに段差部を設けて収納式モニターユニットが筐体の正面開口部から抜け出ないように形成したことを特徴としたものである。
【考案の効果】
【０００８】
　本考案の収納式モニターユニットの取付け治具は、本考案の筐体を用いることで、インストルメントパネル下段のステレオユニットを取り外さずに収納式モニターユニットを設置することができる。また、オプションで純正品のモニター及びカーナビゲーションユニットを設置する等の場合に比べ、低工賃で既製の収納式モニター内臓カーナビゲーションユニットやその他機能を備えたモニターを設置することが可能となる。また、設置する収納式モニターユニットに制限がないため、好みの収納式モニターユニットの設置が可能である。また、インストルメントパネルに収納することにより、安易に取り外しが出来にくく、オンダッシュモニターに比べ、盗難に遭いにくく、防犯上、効果的である。また、本考案は重量のある収納式モニターユニットを筐体に収納しても、筐体と一体に形成した厚手の帯板部材と該帯板部材に埋没し、両端が外部に延出した剛性の金属板を設けているので筐体の補強効果が増し、筐体自体が軽量であるにもかかわらず収納したユニットががたつくことなく、しっかりと保持することが出来る。
【考案を実施するための最良の形態】
【０００９】
　本考案の実施の形態について、図面を参照して説明する。
　本案の実施の形態の一例として、スバルＴＡ−ＢＰ５（富士重工株式会社製）における実施例について述べる。
　図１は本考案収納式モニターユニットの取付け治具の一例の正面図である。図２は本考案収納式モニターユニットの取付け治具一例の平面図である。図３は本考案収納式モニターユニットの取付け治具の一例の底面図である。図４は本考案収納式モニターユニットの取付け治具の一例の背面図である。図５は本考案収納式モニターユニットの取付け治具の一例のA-A線断面図である。図６は本考案収納式モニターユニットの取付け治具の一例の側面図である。図７は本考案収納式モニターユニットの取付け治具の一例のB-B線断面図である。図８、図９は本考案収納式モニターユニットの取付け治具の一例の取付けの参考図である。図１０はインストルメントパネルの一例の構造を示す図である。図１１はインストルメントパネルの一例の構造において、本考案収納式モニターユニットの取付け治具の一例の取付け部を示す図である。
【００１０】
　本考案収納式モニターユニット収納ボックスの筐体の材質は、例えば硬質樹脂製とする。該筐体は図１〜図８に示す、正面及び背面が開口し、底面、両側壁及び天面を有する構造とする。
【００１１】
　上記筐体は図１１に示す上記フロントパネル（９）の開口部（９ａ）に設けられた小物入れ（１０）と交換し、取付ける形状とする。該筐体は該小物入れ（１０）より奥行きがあるため、オーディオ等収納部（１１）の上部のダッシュボード支持部（１１ａ）をC-C線で切り取り、奥に空間を設ける。該筐体は、図８、図９に示す通り、収納式モニターユニット、例えばＣａｒｒｏｚｚｅｒｉａ６．５型ワイドモニター一体型ＤＶＤナビゲーションＨ００１８ＡＧ０００ＢＢ（パイオニア株式会社製）を収容し、該フロントパネル（９ａ）の両脇ダクト部（９ｂ）の間、開口部（９ａ）に嵌合可能な形状とする。
【００１２】
図１に示す上記筐体正面は、図１１に示すインストルメントパネル前面の小物入れ（１０）を外した状態で、小物入れ（１０）を設けるための開口部（９ａ）、両脇にダクト部（９ｂ）、向きが可変の噴出し口（９ｃ）を有するフロントパネル（９）に嵌合する形状とする。詳細には、該フロントパネル（９）のダクト部（９ｂ）と収納部嵌合部の隙間に該筐体が嵌るように図１、図２、図５に示す溝（３）を設ける。該フロントパネル（９）の収納部嵌合部分の形状に合わせ、該筐体底壁前端部に図５に示す断面が円弧状となる傾斜部（６）を設ける。更に収納式モニターユニットの重量を支える強度を持たせるため、該円弧状部の外面下部には図３、図４、図５に示す数個の足（７）を設ける。該筐体の底壁前端部に図５に示すフック形状の突出部（５）を設け、該フロントパネル（９）の開口部下側の溝に嵌合する形状とする。該筐体の上壁外面前端部には図１に示す傾斜面（２）を設ける。また、収納式モニターユニットの突出を防ぐため、両側壁内面の前端部寄りに段差部（４）を設ける。
【００１３】
　上記筐体の該天面には、図２に示す通り長手方向に沿って同質材にて厚手の帯板部材（１）を形成する。該帯板部材（１）の内部には、剛性の金属板（１ａ）を埋設する。図１１に示す上記ダクト部（９ｂ）天面に固定するため、該金属板（１ａ）は該帯板部材（１）の左右から外部に延出する長さに形成し、該金属板の延出部に取付け孔（１ｂ）を設ける。
【００１４】
　上記帯板部材（１）の上面には、上記インストルメントパネル支持部（１２ａ）をネジで固定するためにインストルメントパネル上面から突出しているツメ部を受けるため、溝（１ｃ）を設ける。該溝（１ｃ）を設けることで、ダッシュボードに圧力をかけても変形することなく、支持することが可能となる。
【００１５】
　上記筐体の側面には、収納式モニターユニットを固定するため、ネジ留め穴（８）を設ける。
【産業上の利用可能性】
【００１６】
　本考案の筐体は量産が可能であり、車両において既製の収納式モニターユニットを、オーディオ部を外すことなく設置可能とし、また盗難防止にも役立つ点で産業上の利用性を有する。
【図面の簡単な説明】
【００１７】
【図１】本考案収納式モニターユニットの取付け治具の一例の正面図である。
【図２】本考案収納式モニターユニットの取付け治具一例の平面図である。
【図３】本考案収納式モニターユニットの取付け治具の一例の底面図である。
【図４】本考案収納式モニターユニットの取付け治具の一例の背面図である。
【図５】本考案収納式モニターユニットの取付け治具の一例のA-A線断面図である。
【図６】本考案収納式モニターユニットの取付け治具の一例の側面図である。
【図７】本考案収納式モニターユニットの取付け治具の一例のB-B線断面図である。
【図８】本考案収納式モニターユニットの取付け治具の一例の、モニターユニットの取付け治具への取付けの参考図である。
【図９】本考案収納式モニターユニットの取付け治具の一例の、モニターユニットを収容した取付け治具のフロントパネルへの取付けの参考図である。
【図１０】インストルメントパネルの一例の構造を示す図である。
【図１１】上記インストルメントパネルの一例の構造において、本考案収納式モニターユニットの取付け治具の一例の取付け部を示す図である。
【符号の説明】
【００１８】
１　帯板部材
１ａ　剛性の金属板
１ｂ　取付け孔
１ｃ　溝
２　傾斜面
３　溝
４　段差部
５　突出部
６　傾斜部
７　足
８　ネジ留め穴
９　フロントパネル
９ａ　開口部
９ｂ　ダクト部
９ｃ　噴出し口
１０　小物入れ
１１　オーディオ等収納部
１１ａ　ダッシュボード支持部
【図１】
0003099991.tif 000003
【図２】
0003099991.tif 000004
【図３】
0003099991.tif 000005
【図４】
0003099991.tif 000006
【図５】
0003099991.tif 000007
【図６】
0003099991.tif 000008
【図７】
0003099991.tif 000009
【図８】
0003099991.tif 000010
【図９】
0003099991.tif 000011
【図１０】
0003099991.tif 000012
【図１１】
0003099991.tif 000013